(57)【要約】【課題】記録ヘッドによる印写領域に対応する搬送ベルトの弦の部分でしわや踊りが発生し、平面度が低下する。【解決手段】用紙１２を搬送する搬送ベルト２１は搬送ローラ２７とテンションローラ２８間に掛け渡し、記録ヘッド４による印写領域に対応する部分の裏面側に搬送ベルト２１をガイドするガイド部材３１を配置し、ガイド部材３１はローラ２７、２８間の接線３２よりも記録ヘッド４側に突出させて配置した。【選択図】  図４
2004175494.tif 000002
【特許請求の範囲】
【請求項１】
無端状の搬送ベルト表面を帯電させて用紙を搬送し、記録ヘッドから液滴を吐出して前記用紙に画像を記録する画像記録装置において、前記搬送ベルトは少なくとも２つのローラ間に掛け渡して支持し、前記印写領域に対応して前記搬送ベルトの裏面側にガイド部材を設け、このガイド部材の上面は前記搬送ベルトを支持する２つのローラの接線よりも前記記録ヘッド側に突出していることを特徴とする画像記録装置。
【請求項２】
請求項１に記載の画像記録装置において、前記ガイド部材の上流側及び下流側の少なくともいずれかに前記搬送ベルトに当接して回動可能なガイドコロを設けたことを特徴とする画像記録装置。
【請求項３】
請求項１又は２に記載の画像記録装置において、前記ガイド部材の前記搬送ベルトと接触する面側には搬送方向と直交する方向に複数の溝が形成されていることを特徴とする画像形成装置。
【発明の詳細な説明】
【０００１】
【産業上の利用分野】
本発明は画像記録装置に関し、特に搬送ベルトを用いて用紙を搬送する画像記録装置に関する。
【０００２】
【特許文献１】特許第２８９７９６０号公報
【特許文献２】特開平７−５３０８１号公報
【０００３】
【従来の技術】
プリンタ、ファクシミリ、複写装置等の画像記録装置（或いは画像形成装置ともいう。）として、例えばインクジェット記録装置が知られている。インクジェット記録装置は、インク記録ヘッドから用紙（紙に限定するものではなく、ＯＨＰなどを含むインク滴が付着可能なものの意味であり、被記録媒体あるいは記録媒体、記録紙などとも称される。）にインクを吐出して記録を行うものであり、高精細な画像を高速で記録することができ、ランニングコストが安く、騒音が少なく、しかも、多色のインクを使用してカラー画像を記録するのが容易であるなどの利点を有している。
【０００４】
インクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクを吐出するためのエネルギー発生手段として備えたものが知られている。
【０００５】
ところで、インクジェット記録方式ではインクを用紙にインクを付着させるために、画像を形成すると用紙はインクに含まれる水分によって伸びる現象がある。この現象をコックリングと呼んでいる。このコックリングによって用紙は波打ち、ヘッドのノズルと用紙表面の位置が場所場所で変化する。このコックリングの程度が悪くなると、最悪の場合、用紙がヘッドのノズル面と接触して、ヘッドのノズル面を汚したり、用紙自身も汚れてしまって画像品質が低下し、加えてコックリングの影響でインク滴の着弾位置がずれてしまうこともある。
【０００６】
また、従来のインクジェット記録装置では用紙の送りをローラによって行っており、印字領域を挟んで２組のローラ（一方は前述のように拍車とコロの組み合わせ）が配置されている。しかし、この構成では用紙の送り精度を保証できるのは用紙がこの２組のローラに噛んでいる状態でのみである。
【０００７】
ところが、近年は、画像印字領域の増大が望まれているため、印字領域を確保するために本来であれば用紙の送り精度を保証できない状態、つまり２組あるローラの内、一方のローラ対にしか用紙が噛んでいない状態で印字を行うようにしたインクジェット記録装置も存在する。しかしながら、片方のローラ対にしか用紙が噛んでいない状態では、用紙の浮きが発生した場合は、対処できなかったり、用紙搬送力が確保できないために送りの精度を保証できないので、画像品質も低下するという問題が生じる。
【０００８】
そこで、
【特許文献１】や
【特許文献２】に記載されているように、用紙の平面性を維持するために、無端状の帯電ベルトを備え、帯電ベルト表面を帯電して用紙を静電吸着させ、この状態で帯電ベルトを周回させることで用紙を搬送することにより、用紙の帯電ベルトからの浮き上がりを防止して、高い平面性を維持できるようにしたインクジェット記録装置が提案されている。
【０００９】
【発明が解決しようとする課題】
ところが、上述した従来のインクジェット記録装置のように搬送ベルトを用いて用紙を静電吸着した状態で搬送を行う場合、搬送ベルトの平面度が用紙の平面度に直結することになる。
【００１０】
この場合、搬送ベルトは少なくとも２つのローラ間に掛け渡して弦の部分を記録ヘッドによる印写領域に対応させるが、この搬送ベルトの弦の部分ではベルトのしわなどが発生しやすく、また、搬送ベルトを回動させたときに弦の部分でベルトが踊ってしまう（変動する）現象が発生して、搬送ベルトの平面度が低下することがある。
【００１１】
このように、搬送ベルトを用いた場合でも搬送ベルト自体の平面度が低下すると、記録ヘッドと用紙との間の距離が変動することになり、画像品質が低下するという課題がある。
【００１２】
本発明は上記の課題に鑑みてなされたものであり、搬送ベルトの平面性を維持して高い画像品質で記録できる画像記録装置を提供することを目的とする。
【００１３】
【課題を解決するための手段】
上記の課題を解決するため、本発明に係る画像記録装置は、用紙を搬送する搬送ベルトは少なくとも２つのローラ間に掛け渡して支持し、記録ヘッドによる印写領域に対応して搬送ベルトの裏面側にガイド部材を設け、このガイド部材の上面は搬送ベルトを支持する２つのローラの接線よりも記録ヘッド側に突出している構成とした。
【００１４】
ここで、ガイド部材の上流側及び下流側の少なくともいずれかに搬送ベルトに当接し回動可能なガイドコロを設けることが好ましい。また、ガイド部材の搬送ベルトとの接触面には搬送方向と直交する方向に複数の溝が形成されていることが好ましい。
【００１５】
【発明の実施の形態】
以下、本発明の実施の形態を添付図面を参照して説明する。図１は本発明に係る画像記録装置としてのインクジェット記録装置の全体構成を説明する構成図、図２は同記録装置の要部平面説明図、図３は同記録装置の搬送部の説明図である。
【００１６】
このインクジェット記録装置は、図示しない左右の側板に横架したガイド部材であるガイドロッド１とステー２とでキャリッジ３を主走査方向に摺動自在に保持し、図示しない主走査モータによって図２で矢示方向に移動走査する。
【００１７】
このキャリッジ３には、イエロー（Ｙ）、シアン（Ｃ）、マゼンタ（Ｍ）、ブラック（Ｂｋ）の各色のインク滴を吐出する４個のインクジェットヘッドからなる記録ヘッド４を複数のインク吐出口を主走査方向と交叉する方向に配列し、インク滴吐出方向を下方に向けて装着している。
【００１８】
記録ヘッド４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクを吐出するためのエネルギー発生手段として備えたものなどを使用できる。
【００１９】
また、キャリッジ３には、記録ヘッド４に各色のインクを供給するための各色のサブタンク５を搭載している。このサブタンク５には図示しないインク供給チューブを介してメインタンク（インクカートリッジ）からインクが補充供給される。
【００２０】
一方、給紙カセット１０などの用紙積載部（圧板）１１上に積載した用紙１２を給紙するための給紙部として、用紙積載部１１から用紙１２を１枚づつ分離給送する半月コロ（給紙コロ）１３及び給紙コロ１３に対向し、摩擦係数の大きな材質からなる分離パッド１４を備え、この分離パッド１４は給紙コロ１３側に付勢されている。
【００２１】
そして、この給紙部から給紙された用紙１２を記録ヘッド４の下方側で搬送するための搬送部として、用紙１２を静電吸着して搬送するための搬送ベルト２１と、給紙部からガイド１５を介して送られる用紙１２を搬送ベルト２１との間で挟んで搬送するためのカウンタローラ２２と、略鉛直上方に送られる用紙１２を略９０°方向転換させて搬送ベルト２１上に倣わせるための搬送ガイド２３と、押さえ部材２４で搬送ベルト２１側に付勢された先端加圧コロ２５とを備えている。また、搬送ベルト２１表面を帯電させるための帯電手段である帯電ローラ２６を備えている。なお、押さえ部材２４の先端には押さえコロ３０を設けている。
【００２２】
ここで、搬送ベルト２１は、無端状ベルトであり、搬送ローラ２７とテンションローラ２８との間に掛け渡されて、矢示Ａ方向（ベルト搬送方向）に周回するように構成している。この搬送ベルト２１は、図６に示すように、抵抗制御を行っていない純粋な厚さ４０μｍ程度の樹脂材、例えばＥＴＦＥピュア材で形成した用紙吸着面となる表層２１ａと、この表層２１ａと同材質でカーボンによる抵抗制御を行った裏層（中抵抗層、アース層）２１ｂとを有している。
【００２３】
搬送ベルト２１の絶縁層（表層）２１ａの厚みが誘電率に影響し、厚みが厚くなると誘電率が下がり帯電した際にベルトに載る電荷の量が減る。したがって、製造上ばらつく膜厚の範囲を考慮し、また、実機にてベルトに発生する傷によってもこの層厚みが０とならない範囲で、極力薄くすることで静電吸着力を向上させることができる。
【００２４】
また、搬送ベルト２１の裏層（中抵抗層、アース層）２１ｂの厚みは直接静電的な作用には影響しないが、ベルトの総厚みが厚くなると、剛性が増しベルトを実機上で張ったときにベルトの平面度を確保することが困難になり、一方所要の強度を確保する上ではあまり薄くできない。実験によると、裏層２１ｂの厚みとしては５０〜２００μｍ程度が好ましい。
【００２５】
このように二層構成として搬送ベルト２１の全面裏側に抵抗制御をした層２１ｂを設けることで、予め絶縁層である表層２１ａに電荷を形成した後、ベルトに吸着させる用紙が接触すると電荷を更に供給し、用紙と搬送ベルト２１との間の静電的な吸着力を増加させることができる。仮に、絶縁層単層の場合、その吸着力は二層の場合に比べて半減し、また、単層の場合には用紙がベルトに接触し始める位置がベルト内側に配置されるアースローラに対向する位置でなければならないが、二層にすることにより、このような制約がなくなる。
【００２６】
帯電ローラ２６は、搬送ベルト２１の表層に接触し、搬送ベルト２１の回動に従動して回転するように配置され、加圧力として軸の両端に各２．５Ｎをかけている。また、搬送ローラ２７は上述したアースローラの役目も担っており、搬送ベルト２１の中抵抗層（裏層）２１ｂと接触配置され接地している。
【００２７】
また、図３及び図４に示すように、搬送ベルト２１の裏側には、記録ヘッド４による印写領域に対応してガイド部材３１を配置している。このガイド部材３１は、図５に示すように、搬送ローラ２２及びテンションローラ２８等を保持する枠部材３５，３５間で保持している。
【００２８】
そして、このガイド部材３１は、図４に示すように、上面３１ａが搬送ベルト２１を支持する２つのローラ（搬送ローラ２７とテンションローラ２８）の接線３２よりも記録ヘッド４側に突出している。これにより、搬送ベルト２１は印写領域ではガイド部材３１の上面３１ａにて押し上げられてガイドされる。
【００２９】
さらに、このガイド部材３１の搬送ベルト２１の裏面と接触する面側には、図５に示すように、主走査方向、すなわち搬送方向と直交する方向に複数の溝３１ｂを形成して、搬送ベルト２１との接触面積を少なくし、搬送ベルト２１がスムーズにガイド部材３１表面に沿って移動できるようにしている。
【００３０】
さらに、このガイド部材３１の搬送方向上流側及び下流側には、搬送ベルト２１の裏面側に当接するガイドコロ３３、３４をそれぞれ回転可能に配置している。このガイドコロ３３、３４はガイド部材３１の搬送方向両端部に近接して配置することが好ましい。
【００３１】
さらに、記録ヘッド４で記録された用紙１２を排紙するための排紙部として、搬送ベルト２１から用紙１２を分離するための分離部４１と、排紙ローラ４２及び排紙コロ４３と、排紙される用紙１２をストックする排紙トレイ４４とを備えている。また、背部には両面給紙ユニット５１が着脱自在に装着されている。この両面給紙ユニット５１は搬送ベルト２１の逆方向回転で戻される用紙１２を取り込んで反転させて再度カウンタローラ２２と搬送ベルト２１との間に給紙する。
【００３２】
このように構成したインクジェット記録装置においては、給紙部から用紙１２が１枚ずつ分離給紙され、略鉛直上方に給紙された用紙１２はガイド１５で案内され、搬送ベルト２１とカウンタローラ２２との間に挟まれて搬送され、更に先端を搬送ガイド２３で案内されて先端加圧コロ２５で搬送ベルト２１に押し付けられ、略９０°搬送方向を転換される。
【００３３】
このとき、図示しない制御回路によって高圧電源から帯電ローラ２６に対してプラス出力とマイナス出力とが交互に繰り返すように、つまり交番する電圧が印加され、搬送ベルト２１が交番する帯電電圧パターン、すなわち、周回方向である副走査方向に、プラスとマイナスが所定の幅で帯状に交互に帯電されたものとなる。このプラス、マイナス交互に帯電した搬送ベルト２１上に用紙１２が給送されると、用紙１２内で帯電パターンと反対の電荷に分極するので、平行接続されたコンデンサが形成されたこととなり、用紙１２が搬送ベルト２１に吸着され、搬送ベルト２１の周回移動によって用紙１２が副走査方向に搬送される。
【００３４】
そこで、キャリッジ３を移動させながら画像信号に応じて記録ヘッド４を駆動することにより、停止している用紙１２にインク滴を吐出して１行分を記録し、用紙１２を所定量搬送後、次の行の記録を行う。記録終了信号又は用紙１２の後端が記録領域に到達した信号を受けることにより、記録動作を終了して、用紙１２を排紙トレイ４４に排紙する。
【００３５】
ここで、このインクジェット記録装置においては、搬送ベルト２１の裏側に配置したガイド部材３１によって、搬送ベルト２１は印写領域に対応するベルト弦部が記録ヘッド４側に押し上げられて、ガイド部材３１に沿って移動するので、ベルトの弦の部分でのしわの発生、踊りなどが発生せず、高い平面性を保持することができ、高い画像品質で記録することができる。
【００３６】
また、ガイド部材３１の搬送方向上流側及び下流側に搬送ベルト２１の裏面側に接触するガイドコロ３３、３４をそれぞれ回転可能に配置しているので、搬送ベルト２１とガイド部材３１の端部との間に生じる摩擦を小さくでき、搬送ベルト２１による駆動負荷を低減できるとともに、搬送ベルト２１がガイド部材３１の端部と擦れることによって変動することも防止でき、より確実に、ベルトの弦の部分でのしわの発生、踊りなどの発生を防止でき、高い平面性を保持して高い画像品質で記録することができる。
【００３７】
なお、上記実施形態においては、本発明をキャリッジが走査するシリアル型（シャトル型）インクジェット記録装置に適用した例で説明したが、ライン型ヘッドを備えたライン型インクジェット記録装置にも同様に適用することができる。
【００３８】
また、本発明に係る画像記録装置は、インクジェットプリンタ以外にも、ファクシミリ装置、複写装置、プリンタ／ファックス／コピア複合機などにも適用することができる。さらに、インク以外の液体、例えばレジスト、医療分野におけるＤＮＡ試料を吐出させる画像記録装置にも適用することができる。
【００３９】
【発明の効果】
以上説明したように、本発明に係る画像記録装置によれば、用紙を搬送する搬送ベルトは少なくとも２つのローラ間に掛け渡して支持し、記録ヘッドによる印写領域に対応して搬送ベルトの裏面側にガイド部材を設け、このガイド部材の上面は搬送ベルトを支持する２つのローラの接線よりも記録ヘッド側に突出している構成としたので、印写領域に対応するベルト弦部の波うちや変動を防止することができて、高い画像品質で画像を記録することができる。
【図面の簡単な説明】
【図１】本発明の第１実施形態に係る画像記録装置の模式的構成図
【図２】同記録装置の要部平面説明図
【図３】同記録装置の要部説明図
【図４】同記録装置のガイド部材の配置を説明するための説明図
【図５】同ガイド部材の斜視説明図
【図６】同記録装置の搬送ベルトの構成を説明する説明図
【符号の説明】
３…キャリッジ、４…記録ヘッド、１２…用紙、２１…搬送ベルト、２６…帯電ローラ、２７…搬送ローラ、２８…テンションローラ、３１…ガイド部材、３３、３４…ガイドコロ、４４…排紙トレイ。
【図１】
2004175494.tif 000003
【図２】
2004175494.tif 000004
【図３】
2004175494.tif 000005
【図４】
2004175494.tif 000006
【図５】
2004175494.tif 000007
【図６】
2004175494.tif 000008